(57)【要約】【課題】本発明は魚釣り用スピニングリールのスプールに関し、スプールのスカート部の軽量化を確保しつつ、強度低下の防止を図った魚釣り用スピニングリールのスプールを提供することを目的とする。【解決手段】請求項１に係わる発明は、リール本体に支持されたスプール軸に取り付けられ、釣り糸を巻回する胴部と、その前方に設けられたフランジ部と、胴部の後方に設けられた筒状のスカート部にて構成されたスプールのスカート部に、軽量化のために貫通穴を設けたものにおいて、強度低下の防止を図る円筒状部材を装着したことを特徴とする。【選択図】図２
2010172223.tif 000002
【特許請求の範囲】
【請求項１】
リール本体に支持されたスプール軸に取り付けられたスプールのスカート部に軽量化のために貫通穴を設けたものにおいて、強度維持のために円筒状部材を装着したことを特徴とする魚釣用スピニングリールのスプール。
【請求項２】
前記円筒状部材をスプールスカート部の内側に固定部材をもちいて固定した請求項１に記載の魚釣用スピニングリールのスプール。
【請求項３】
前記円筒状部材をスプールスカート部の外側に固定部材をもちいて固定した請求項１に記載の魚釣用スピニングリールのスプール。
【請求項４】
前記円筒状部材を、スプールのスカート部より比重の小さい材料で形成したことを特徴とする請求項１または請求項２、請求項３に記載の魚釣用スピニングリールのスプール。
【発明の詳細な説明】
【技術分野】
【０００１】
本発明は、ハンドルの回転操作に伴い、釣糸がスプールに巻回される魚釣用スピニングリールに関する。
【背景技術】
【０００２】
従来周知のように魚釣用スピニングリールは、ハンドルの回転操作によりローターに設けられたベール支持部材を介してスプールに釣糸の巻き取りを行う。またこのベールを反転してキャスティングするとスプールに巻かれた釣糸をスパイラル状に放出する。
【０００３】
前記スプールは、釣糸を巻くための胴部とその前方に設けられたフランジ部、釣糸巻き胴部後方に設けられたスカート部とで構成されている。
そして、従来リールの軽量化のためにスプールスカート部に複数の貫通孔をあけた構造がよく採用されている。
【発明の概要】
【発明が解決しようとする課題】
【０００４】
しかしながら、前記複数の貫通孔をあけたスプールを用いると、スプールスカート部の強度が著しく低下する問題があった。このため、リールを使用時に落下させるなどして大きな力がスプールのスカート部にかかるとスカート部が変形し外観を著しく劣化させた。さらに変形が大きな場合は、ローターと接触してリールが使用不可能な状態に陥ることがあった。
本発明は、かかる実情に鑑みて案出されたもので、スプールの軽量化を確保しつつ、スプールのスカート部の強度を維持することを目的とする。
【課題を解決するための手段】
【０００５】
斯かる目的を達成するために、請求項１による発明は、リール本体に支持されたスプール軸に取り付けられたスプールのスカート部に軽量化のために貫通穴を設けたものにおいて、スプールのスカート部強度維持のために円筒状部材を装着したことを特徴とする。
【０００６】
そして、請求項２に係る発明は、請求項１に記載のスプールにおいて、固定部材をもちいて円筒状部材をスカート部の内側に固定したことを特徴とする。
【０００７】
また、請求項３に係る発明は、請求項１に記載のスプールにおいて、固定部材をもちいて円筒状部材をスカート部の外側に固定したことを特徴とする。
【０００８】
さらに、請求項４に係る発明は、請求項１または請求項２もしくは請求項３に記載のスピニングリールのスプールにおいて、前記円筒状部材をスプールスカート部より比重の小さい材料で形成したことを特徴とする。
【図面の簡単な説明】
【０００９】
【図１】請求項１及請求項２及請求項４の第一実施形態に係るスプールを用いたスピニングリールの一部切欠き正面図である。
【図２】請求項１及請求項２及請求項４の第一実施形態に係るスプールの正面断面図である。
【図３】請求項１及請求項２及請求項４の第二実施形態に係るスプールの正面断面図である。
【図４】請求項１及請求項２及請求項４の第三実施形態に係るスプールの正面断面図である。
【図５】請求項１及請求項２及請求項４の第四実施形態に係るスプールの正面断面図である。
【図６】請求項１及請求項２及請求項４の第五実施形態に係るスプールの正面断面図である。
【図７】請求項１及請求項２及請求項４の第六実施形態に係るスプールの正面断面図である。
【図８】請求項１及請求項２及請求項４の第七実施形態に係るスプールの正面断面図である。
【図９】請求項１及請求項２及請求項４の第八実施形態に係るスプールの正面断面図である。
【図１０】請求項１及請求項３及請求項４の第九実施形態に係るスプールの正面断面図である。
【図１１】請求項１及請求項３及請求項４の第十実施形態に係るスプールの正面断面図である。
【図１２】請求項１及請求項３及請求項４の第十一実施形態に係るスプールの正面断面図である。
【図１３】請求項１及請求項３及請求項４の第十二実施形態に係るスプールの正面断面図である。
【図１４】請求項１及請求項３及請求項４の第十三実施形態に係るスプールの正面断面図である。
【発明を実施するための形態】
【００１０】
以下、本発明の実施形態を図面に基づいて詳細に説明する。
図１は請求項１及請求項２及請求項４の第一実施形態に係るスプールを用いたスピニングリールの断面図を示し、図に於いて、１はスピニングリールの本体組みである。２のローター組は、本体前方に回転可能に取り付けられている。3のスプール組は、そのローターの前方に本体内部のカムによって前後運動するスプール軸に取り付けられている。この手のリールに於いて全体の重量を軽減することは、操作性の向上と疲労の軽減にとって重要である。リール全体の重量を軽減するために、スプールに孔を開けることが良く知られている。
【００１１】
図２は、図１のスプールの詳細図である。図中４のスプールの中央部には釣り糸を巻く円筒状胴部があり、その前方には胴部より径の大きな円盤状のフランジ部、またその後方には釣り糸がスプール後方に入り込んでスプール軸にからむのを防ぐための円筒状のスカート部がある。スカート部には、重量軽減のために図中８の複数個の貫通孔が開けてある。しかしこのような場合、スカート部の強度低下を招き、リールを落下したり、他の物にぶつけたりした時に変形することが良くある。特にスプールのスカート部後端が大きく開口しているため変形しやすい。この場合、スプールのスカート部とローターとの接触によってローターが回転不能になったり、スプールが前後できなくなったりしリールがスプールに糸を巻き取れないことがよくおきる。本考案はこの点を鑑み、スカート部内側に５の円筒状部材を入れ、スカート部強度の低下を防ぐことにある。図中６はその円筒状部材がスプール後方に脱落しないように保持するための固定部材である。この固定部材６は、複数個のカシメピン７にてスプールのスカート部に内側からカシメて固定されている。このカシメピンは、金属製でも良いし、樹脂製で熱で溶かして固定しても良い。また、図中８の複数個の貫通孔は円筒状部材５で一部分塞がっている。この貫通孔の全てを円筒状部材で塞いでも良いし一部分のみでも良い。
【００１２】
また、円筒状部材と固定部材は、図３の第二実施形態にあるように一体となっていて、複数個のカシメピン１１にて固定されていても良い。
【００１３】
尚、このスプールは、従来と同様アルミニウム等の金属で形成されている。円筒状部材は、スプールのスカート部より比重の小さなカーボン繊維等の強化繊維で補強されたFRPで形成されている。このことにより、スプールの重量を増加させることなくスプールのスカート部の強度を維持することが出来る。
【００１４】
さらに、このスプールのスカート部がガラス繊維等の強化繊維で補強された樹脂で形成されている場合も、より比重の軽いカーボン繊維等の強化繊維で補強されたFRPで形成された円筒状部材を用いれば、スプールの重量を増加させることなくスプールのスカート部の強度を維持することが出来る。
【００１５】
また、この円筒状部材はチタン等の超高強度の金属部材の薄板によって形成しても良い。この場合もスプールのスカート部の強度が維持でき、かつスプールスカート部の重量が軽くなるように板厚をとれば、スプールの重量を増加させることなくスプールのスカート部の強度を維持することができる。
【００１６】
図４は、請求項１及請求項２及請求項４の第三実施形態のスプール断面図である。この場合は、１４の円筒状部材がスプール後方に脱落しないように保持するために固定部材１５が使用されている。この固定部材１５は、円筒状の形状で後端が円筒状部材１４の外径とほぼ同じで、その前方部は円筒状部材１４の内側に沿っている。この固定部材前方には、複数個の柄状部分がスプールのスカート内前方に出ており、その柄状部を複数個のねじ１６にてスプール１３に固定している。またこの場合、１４の円筒状部材は径方向、外周方向、幅方向に複数個に分割されていても良い。それによって組み立てを容易にすることができるし、この複数個の部材を違う素材や色を使用することにより意匠性の向上にも効果が期待できる。
【００１７】
図５は、請求項１及請求項２及請求項４の第四実施形態のスプール断面図と２０の固定部材の正面図である。この場合は、円筒状部材１９の円筒状部材がスプール後方に脱落しないように保持するためにばね状の固定部材２０が使用されている。このばね状の固定部材２０は、金属製の半円形でスプールの内側の径より大きな径で出来ている。固定時は外径を小さくしてスプールのスカート部内側の溝部にはめ込む。この固定部材２０の外側に開く力で、スプールのスカート部に固定される。そのため円筒状部材１９が後方に脱落することがないようにスプールに固定できる。
【００１８】
図６は、請求項１及請求項２及請求項４の第五実施形態のスプール断面図と固定部材２４の正面図である。この場合は、円筒状部材２３がスプール後方に脱落しないように保持するための固定部材２４が使用されている。この固定部材２４は、円筒状であり複数個の爪状部分が固定部材２４の外形から外側に出ている。スプール後方よりこの固定部材２４を挿入する時、この爪状部分がスプールスカート部内側に当たって内側に曲げられる。その複数個の爪状部分がスプールのスカート部内側の溝部分に入ると外側に出る事によってスプールのスカート部内側に固定され、円筒状部材２３がスプール本体２２から脱落しないように固定できる。
【００１９】
図７は、請求項１及請求項２及請求項４の第六実施形態のスプール断面図である。この場合は、円筒状部材２７がスプール後方に脱落しないように保持するための固定部材２８が使用されている。この固定部材２８は、円筒状で外側に溝が設けてある。また、スプールのスカート部内側にも溝が設けてある。固定部材２８は、接着剤にてスプール本体２６のスカート部に固定される。この時、固定部材２８とスプール２６のスカート部内側に溝があることによって、接着剤が外にはみ出ることなく接着できる。また、接着剤が固形化すれば非常に強固に固定でき、円筒状部材２７がスプール２６から脱落しないように固定される。また、この固定部材外側の溝とスプールのスカート部内側の溝は、どちらか片方のみでも良い。
【００２０】
図８は、請求項１及請求項２及請求項４の第七実施形態のスプール断面図である。この場合は、円筒状部材３１の円筒状部材がスプール後方に脱落しないように保持するための固定部材３２が使用されている。この固定部材３２は、円筒状で外側にねじ部３３が設けてある。また、スプール３０のスカート部内側にもねじが設けてある。この固定部材３２は、ねじにて脱着自在にスプールスカート部内側に固定される。この固定部材３２により円筒部材３１がスプール本体３０のスカート部から後方に脱落しないように固定される。
【００２１】
図９は、請求項１及請求項２及請求項４の第八実施形態のスプール断面図である。この場合は、円筒状部材３６の外周に直接ねじを設けてあり、そのねじ部３７が３５のスプールのスカート部の内側にあるねじとかみ合い円筒状部材３６がスプール後方に脱落しないようになっている。
【００２２】
図１０は、請求項１及請求項３及請求項４の第九実施形態に係るスプールの断面図を示す。スプール３９の中央部には釣り糸を巻く円筒状の胴部分があり、その前方には胴部より径の大きな円盤状のフランジ部、またその後方には釣り糸がスプール後方に入り込んでスプール軸にからむのを防ぐための円筒状のスカート部がある。スカート部には、重量軽減のために図中４３の複数の貫通孔が開けてある。しかしこのような場合、スカート部の強度低下を招き、リールを落下したり、他の物にぶつけたりした時に変形することが良くある。この場合、スプールのスカート部とローターとの接触によってローターが回転不能になったり、スプールが前後できなくなったりしリールのスプールに糸を巻き取れないことがよくおきる。本考案はこの点を鑑み、スプールのスカート部外側に４０の円筒状部材を装着し、スカート部強度の低下を防ぐことにある。図中４１はその円筒状部材がスプール後方に脱落しないように保持するための固定部材である。この固定部材４１は、内径側にねじ部４２がありスプールのスカート部外側のねじとかみ合い円筒状部材４０と固定部材４１がスプール後方に脱落しないようになっている。また、固定部材４１は、脱着自在にスプールのスカート部に固定されているので、容易に円筒状部材４０を取り替えることも出来る。
【００２３】
尚、このスプールは、従来と同様アルミニウム等の金属で形成されている。円筒状部材は、スプールのスカート部より比重の小さなカーボン繊維等の強化繊維で補強されたFRPで形成されている。このことにより、スプールの重量を増加させることなくスプールのスカート部の強度を維持することが出来る。
【００２４】
さらに、このスプールのスカート部がガラス繊維等の強化繊維で補強された樹脂で形成されている場合も、より比重の軽いカーボン繊維等の強化繊維で補強されたFRPで形成された円筒状部材を用いれば、スプールの重量を増加させることなくスプールのスカート部の強度を維持することが出来る。
【００２５】
また、この円筒状部材はチタン等の超高強度の金属部材の薄板によって形成しても良い。この場合もスプールのスカート部の強度が維持でき、かつスプールスカート部の重量が軽くなるように板厚をとれば、スプールの重量を増加させることなくスプールのスカート部の強度を維持することができる。
【００２６】
図１１は、請求項１及請求項３及請求項４の第十実施形態に係るスプールの断面図を示す。円筒状部材４５はスプールスカート部の外側に装着されており、スプール後方に脱落しないように固定部材４７は複数個のカシメピン４６によってスプールスカート部に固定されている。また、スプールスカート部の重量を軽くするためにスプールのスカート部後部の肉厚を十分に薄くとっても良い。
【００２７】
図１２は、請求項１及請求項３及請求項４の第十一実施形態に係るスプールの断面図を示す。円筒状部材５０はスプールスカート部の外側に装着されており、スプール後方に脱落しないように円筒状部材５０は複数個のカシメピン５１によってスプールのスカート部に固定されている。
【００２８】
図１３は、請求項１及請求項３及請求項４の第十二実施形態に係るスプールの断面図を示す。図中５４の円筒状部材はスプールスカート部の外側にスプール前方より装着されており、スプール前方に脱落しないように円筒状部材５４は複数個のカシメピン５５のカシメによってスプールスカート部に固定されている。
【００２９】
図１４は、請求項１及請求項３及請求項４の第十三実施形態に係るスプールの断面図を示す。円筒状部材５８はスプールスカート部の外側に装着されており、スプール後方に脱落しないように固定部材５９によってスプールスカート部外側に固定されている。この固定部材５９は、スプールスカート部後端に沿うように円盤状になっており、複数個の爪状の腕がスプールスカート部内側を前方に伸びている。その先端は、スプールのスカート部内側の溝部に折り曲げられ、スプールスカート部から脱落しないように装着されている。
【符号の説明】
【００３０】
１    リール本体組  
２    ローター組  
３    スプール組  
４，９，１３，１８，２２，２６，３０，３５，３９，４４，４９，５３，５７  スプール  
５，１０，１４，１９，２３、２７，３１，３６，４０，４５，５０，５４，５８  円筒状部材  
６，１５，２０，２４，２８，３２，４１，４７，５９    固定部材  
７，１１，４６，５１，５５    カシメピン  
８，１２，１７，２１，２５，２９，３４，３８，４３，４８，５２，５６    貫通孔  
１６  ねじ
３３，３７，４２    ねじ部
【図１】
2010172223.tif 000003
【図２】
2010172223.tif 000004
【図３】
2010172223.tif 000005
【図４】
2010172223.tif 000006
【図５】
2010172223.tif 000007
【図６】
2010172223.tif 000008
【図７】
2010172223.tif 000009
【図８】
2010172223.tif 000010
【図９】
2010172223.tif 000011
【図１０】
2010172223.tif 000012
【図１１】
2010172223.tif 000013
【図１２】
2010172223.tif 000014
【図１３】
2010172223.tif 000015
【図１４】
2010172223.tif 000016